(57)【特許請求の範囲】
【請求項１】
収容体と、
先端部に引き出し操作用の操作部を設けたトノカバーと、
前記収容体の内部に設けられ前記トノカバーを巻き取る巻き取り軸と、から構成され、前記収容体の一側面に形成された開口を通じて前記トノカバーを前記巻き取り軸の付勢力に抗して引き出しつつ展張させるようにした車両用トノカバー装置であって、
前記トノカバー表面上に設けられ、カバー巻き取りの際に前記操作部が前記開口に引き込まれる以前の段階にて前記収容体に当接してそれ以上の巻き取り動作を規制するストッパと、
前記巻き取り動作後、前記収容体の外側に露出した状態となる前記操作部を前記収容体裏面の固定位置にて保持する保持手段と、を備えると共に、
前記固定位置に向かう前記操作部の移動軌跡が円弧軌道をとり、かつ当該円弧軌道の中心近辺に前記収容体に対する前記ストッパの当接点が設定してあり、
前記操作部は、前記固定位置に向かう移動過程の少なくとも一部において、前記当接点を回転中心として回転する形で前記固定位置に向かうことが可能な構成であることを特徴とする車両用トノカバー装置。
【請求項２】
前記移動軌跡の途中にて、前記ストッパが前記当接点から外れる状態になるものにおいて、
前記ストッパの裏面側に前記トノカバーを間に挟んでキャップ部材を設けると共に、前記ストッパが前記当接点を外れた以降は、前記収容体において前記円弧軌道の中心近辺に設定された他の当接点に前記キャップ部材が当接する設定としてあり、
前記操作部は、前記固定位置に向かう前記移動過程において、前記当接点を回転中心として回転した後、前記他の当接点を回転中心として回転する形で前記固定位置に向かうことが可能な構成であることを特徴とする請求項１に記載の車両用トノカバー装置。
【発明の詳細な説明】
【技術分野】
【０００１】
本発明は、車両用トノカバー装置に関する。
【背景技術】
【０００２】
従来より、収容体の内部に、引き出し操作可能なトノカバーを設けたトノカバー装置が広く知られている。この種のトノカバー装置は収容体の内部に巻き取り軸を設けており、引き出したカバーを自動的に巻き取ることが出来るようになっている。一方、カバー先端には、引き出し操作用の操作部を設けられている。そのため、近年では、トノカバー上にストッパ部材を設けて、巻き取り時、カバー先端の操作部が収容体の内方に巻き込まれないようした技術が既に開示されている（下記実用新案文献１）。上記のようにストッパ部材を設けた場合、未使用時（カバー巻き取り後）、カバー先端の操作部は収容体の外部に露出した状態となり、しかも、何ら、保持手段を備えないとすると、操作部はフリーな状態となる。
【特許文献１】実開平６−５０９９５号公報
【発明の開示】
【発明が解決しようとする課題】
【０００３】
上記のように操作部がフリーな状態になると、走行時に周辺部品に干渉して、操作部が異音を生じさせるなどの不具合を起こすこともある。このような事態を未然に解消するには、操作部に面ファスナ等の簡易的な保持手段を設けて、周辺部品に保持できるようにしておけばよいが、例えば、操作部が予定とする固定位置からずれて保持されてしまうと、周辺部品と干渉等を起こすこともあり、操作部を予定とする固定位置に正確に案内できるように装置を構成しておくことが好ましい。
本発明は上記のような事情に基づいて完成されたものであって、特段の位置合わせ手段等を設けることなく、操作部を予定とする固定位置に正確に移動させることが可能な車両用トノカバー装置を提供することを目的とする。
【課題を解決するための手段】
【０００４】
本発明は上記のような事情に基づいて完成されたものであって、収容体と、先端部に引き出し操作用の操作部を設けたトノカバーと、前記収容体の内部に設けられ前記トノカバーを巻き取る巻き取り軸と、から構成され、前記収容体の一側面に形成された開口を通じて前記トノカバーを前記巻き取り軸の付勢力に抗して引き出しつつ展張させるようにした車両用トノカバー装置であって、前記トノカバー表面上に設けられ、カバー巻き取りの際に前記操作部が前記開口に引き込まれる以前の段階にて前記収容体に当接してそれ以上の巻き取り動作を規制するストッパと、前記巻き取り動作後、前記収容体の外側に露出した状態となる前記操作部を前記収容体裏面の固定位置にて保持する保持手段と、を備えると共に、前記固定位置に向かう前記操作部の移動軌跡が円弧軌道をとり、かつ当該円弧軌道の中心近辺に前記収容体に対する前記ストッパの当接点が設定してあり、前記操作部は、前記固定位置に向かう移動過程の少なくとも一部において、前記当接点を回転中心として回転する形で前記固定位置に向かうことが可能な構成であることに特徴を有する。
【０００５】
上記構成において、前記移動軌跡の途中にて、前記ストッパが前記当接点から外れる状態になるものにおいて、前記ストッパの裏面側に前記トノカバーを間に挟んでキャップ部材を設けると共に、前記ストッパが前記当接点を外れた以降は、前記収容体において前記円弧軌道の中心近辺に設定された他の当接点に前記キャップ部材が当接する設定としてあり、前記操作部は、前記固定位置に向かう前記移動過程において、前記当接点を回転中心として回転した後、前記他の当接点を回転中心として回転する形で前記固定位置に向かうことが可能な構成であるものとすることができる。このようにしておけば、移動軌跡の途中にて、ストッパが当接点から外れる場合であっても、操作部を固定位置に正確に移動させることが可能となる。
【発明の効果】
【０００６】
本発明によれば、固定位置に向かう操作部の移動軌跡が円弧軌道をとり、かつ当該円弧軌道の中心近辺に収容体に対するストッパの当接点が設定してあるので、特段の位置合わせ手段等を設けることなく、操作部を目標とする固定位置に正確に移動させることが可能となる。
【発明を実施するための最良の形態】
【０００７】
本発明の一実施形態を図１ないし図６によって説明する。図１はトノボード２０の斜視図である。本トノボード２０は合成樹脂性であって、車両の幅方向に長い形状をなす。係るトノボード２０は幅方向の両端面２１が平らな取り付け面となっており、そこにはロック突部２２が設けられている。
【０００８】
一方、車両１０のラゲッジルーム１５のウインドウ１５ａの下方に設けられるサイドデッキトリム（図略）には前記ロック突部２２を受け入れ可能な係止孔（図略）が設けられており、同係止孔に対してロック突部２２を嵌合させることで、図２に示すように、ラゲッジルーム１５内において、後席シート１３の肩口のほぼ真後となる位置にトノボード２０を固定できる構成となっている。
【０００９】
また、トノボード２０の上面中央部には、解除レバー２３が設けられている。係る解除レバー２３はワイヤ等の中継手段を介してロック突部２２にジョイントされており、同解除レバー２３を図１の上側に操作すると、突出状態にあるロック突部２２をトノボード２０の内方に強制退避できる。
【００１０】
これにより、ロック突部２２とサイドデッキトリムとの係止を解くことが出来、ラゲッジルーム１５のサイドデッキトリムからトノボード２０を取り外せる構成となっている。尚、本車両１０には、ラゲッジルーム１５の床面に収納部（図略）が設けられており、そこに、取り外したトノボード２０を収納できる構成となっている。
【００１１】
また、図１に示す符号４０はリアトノカバー、符号５０はフロントトノカバーである。本トノボード２０は後に図３を参照して詳しく説明するように巻き取り軸３１、３５を内蔵しており、巻き取り軸３１に巻かれたフロントトノカバー５０を下方に、巻き取り軸３５に巻かれたリアトノカバーを後方にそれぞれ引き出せる構成となっている。
【００１２】
リアトノカバー４０はラゲッジルーム１５のウインドウ１５ａより下方を覆う機能を担うものであって、レザーシートよりなる第一リアカバー部４１と、第一リアカバー部４１の先端に設けられる第二リアカバー部４５とからなる。第二リアカバー部４５は平板状をなすボードを表皮で覆った高剛性のカバーであり、ラゲッジルーム１５の後部形状に倣った湾曲状をなしている。
【００１３】
第二リアカバー部４５の上面にはロック孔４７Ａを有する受け部４７と、その後方に位置して固定具４６が設けられており、同固定具４６を車両１０のバックドアＢＤに係止させることで、トノボード２０から引き出しつつ展張させたリアトノカバー４０をラゲッジルーム１５のウインドウ１５ａより下方を覆った状態にて固定出来る構成となっている（図２参照）。
【００１４】
また、フロントトノカバー５０は車室と荷室（ラゲッジルーム１５のウインドウ１５ａより下方）とを区画する機能を担うものであり、レザーシートよりなる第一フロントカバー部５１と、第一フロントカバー部５１の先端に設けられる第二フロントカバー部５５とからなる。
【００１５】
第二フロントカバー部５５は平板状をなすボードを表皮で覆った高剛性のカバーであり、図１において手前側にあたるカバー表面（後席シート１３に対面する側）における幅方向の中央部に操作部６１が設けられている。操作部６１は合成樹脂材よりなると共に、中央部に取っ手となる開口部６２を形成している。
【００１６】
また、第二フロントカバー部５５の表面側であって幅方向両端寄りの位置には、硬質樹脂材よりなるストッパ７１が一対設けられている。係るストッパ７１は図４に示すように内部に補強用のリブ７１ａを形成すると共に、裏面側に樹脂性のキャップ部材７５が設けられており、キャップ部材７５との間で第二フロントカバー部５５を挟みこんでいる。尚、この裏面に設定されるキャップ部材７５は、図４に示す下方に沿って延びており、その側端部に次に述べる突起部５６を一体的に形成している。
【００１７】
図１に示すように、第二フロントカバー部５５の先端寄りの両側端部には、幅方向外向きに突出するようにして突起部５６が設けられている。その一方、ラゲッジルーム１５の床面側には、上記突起部５６を嵌合させる取り付け溝（図略）が形成されており、上記突起部５６を取り付け溝に嵌合させることで、トノボード２０から引き出しつつ展張させたフロントトノカバー５０を後席シート１３の後方を覆った状態にて固定できる構成となっている。
【００１８】
さて、図３に示すようにトノボード２０には、前後の２箇所に巻き取り軸３１、３５が内蔵されている。係る巻き取り軸３１、３５は軸心を車両１０の幅方向（図３の紙面直交方向）に一致させており、前側の巻き取り軸３１にフロントトノカバー５０の基端が止められ、また後側の巻き取り軸３５にリアトノカバー４０の基端が止められている。
【００１９】
そして、両巻き取り軸３１、３５には、ばねなどからなる回転巻き取り機構が付設されており、上記両トノカバー４０、５０に巻き取り方向への付勢力を作用させる構成となっている。
【００２０】
また、トノボード２０の裏面には、ボード後部領域を閉止するようにしてリアアンダーカバー８１が取り付けられている。係るリアアンダーカバー８１の下面には、片持ち状をなすフック８３が一体的に設けられており、そこにリアトノカバー４０の受け部４７を係止出来る。
【００２１】
これにより、図３に示すように、リヤトノカバー４０の未使用時（未展張）には、リアトノカバー先端の第二リアカバー部４５をリアアンダーカバー８１の裏面に保持しておける構成となっている。
【００２２】
また、図３に示すように、トノボード２０の裏面の中央にはフロントアンダーカバー８５が取り付けられている。係るフロントアンダーカバー８５は略平板状をなすと共に、後端８６は巻き取り軸３５の前側を覆う位置まで延び、前端８７は巻き取り軸３１の後側を覆う位置まで延びている。
【００２３】
また、トノボート２０の裏面の前縁部には断面Ｌ字型のエンドカバー９０が取り付けられている。係るエンドカバー９０はフロントアンダーカバー８５との間に引き出し口９９を形成しており、同引き出し口９９を通じてフロントトノカバー５０を引き出したり、或いは引き出されたフロントトノカバー５０をボード内に巻き取れる構成となっている。
【００２４】
尚、本実施形態では、これらエンドカバー９０、トノボード２０、リアアンダーカバー８１、フロントアンダーカバー８５により本発明の収容体が構成されている。
【００２５】
そして、カバー巻き取りの際には、図４にもあるように、ストッパ７１の上端部７２が引き出し口９９の開口周縁部にあたるエンドカバー９０の頂部（コーナ）９１に当接することで、それ以上の巻き取り動作が規制される構成となっている。
【００２６】
尚、図５に示すように上記ストッパ７１の上端部７２はカバーの巻き取り方向において、操作部６１の先端６１Ａより前側（図５では左上側）に設定されており、フロントトノカバー５０を巻き取った際に、操作部６１の先端６１Ａが引き出し口９９の外側（図５では下側）の位置で止まるようになっている。
【００２７】
ここで仮に、操作部６１の先端６１Ａが引き出し口９９の中に入り込み、巻き取られたカバーに当たってしまうと、フロントトノカバー５０の表面に圧痕が出来、カバーを展張させた際の見栄えに影響を及ぼすが、本実施形態の構成であれば、操作部６１の先端６１Ａが引き出し口９９の外側で止まるから、フロントトノカバー５０の表面に上記圧痕が出来ず、良好な見栄えが確保される。
【００２８】
また、上記巻き取り動作後、フロントトノカバー５０の操作部６１は引き出し口９９の真下において、垂れた姿勢で停止するが、係る操作部６１の裏面（第二フロントカバー部５５のカバー裏面であって、図５では右側の面）６１Ｂとフロントアンダーカバー８５の下面の双方に面ファスナ６８、８８が設けてあり、上記操作部６１をフロントアンダーカバー８５の裏面（本発明の「収容体裏面」に相当）の固定位置(図５において二点鎖線で示す位置）に保持できる構成となっている。
【００２９】
上記固定位置に操作部６１が正しく保持されると、図５に示すように操作部６１を含む第二フロントカバー部５５がフロントアンダーカバー８５の前後方向の寸法内にほぼ収まって、第二フロントカバー部５５の後端５５Ａが、リアトノカバー４０の設置領域側に飛び出さない設定となっている。そして、本実施形態のものは、以下説明するように、特段の位置決め手段等を設けることなく、固定位置に操作部６１が位置ずれなく保持される構成となっている。
【００３０】
操作部６１を固定位置に変位させる移動軌跡Ｕは略円弧軌道をとるが、本実施形態のものは、図４、図５にて示すように、係る略円弧軌道の中心近辺に、エンドカバー９０に対するストッパ７１の当接点Ｏ１が設定してある。
【００３１】
そして、ストッパ７１の上端部７２から操作部６１の後端までの距離Ｌが円弧軌道の半径とほぼ等しくなっている（図５参照）。より具体的に言えば、第二フロントカバー部５５上におけるストッパ７１の設置位置が上記寸法関係となるように設定してある。
【００３２】
また、上記当接点Ｏ１を軸としてストッパ７１をボード後方側に一定角度θ１だけ倒し込むと、引き出し口９９側に傾いて、ストッパ７１は当接点Ｏ１からほぼ外れた状態（より具体的に言えば、そのまま更に傾けば、当接点Ｏ１から浮いて完全に外れる状態）となるが、このときには、ストッパ７１の裏側に位置するキャップ部材７５の表面が、引き出し口９９の開口周縁部にあたるフロントアンダーカバー８５の前端８７に当接する。このキャップ部材７５の表面とフロントアンダーカバー８５の当接点Ｏ２も、やはり円弧軌道の中心近辺に設定してある。そして、本実施形態のものは、図４にもあるように、各当接点Ｏ１、Ｏ２を中心とする２つの円弧を合成した軌道が、操作部６１を固定位置に至らせる移動軌跡Ｕにほぼ合致する設定としてある。
【００３３】
尚、図４に示すように、当接点Ｏ１は第二フロントカバー部５５の表面側に設定されているのに対して、当接点Ｏ２はその反対側にあたる第二フロントカバー部５５の裏面側に設定されている。
【００３４】
そして、これらストッパ７１、キャップ部材７５と操作部６１は、いずれも高剛性である第二フロントカバー部５５上に設けられており、一体的に動く。そのため、図５に示す垂れた姿勢にある操作部６１をトノボード２０の後方に向けて軽く跳ね上げると、操作部６１は跳ね上げ直後の初期段階については当接点Ｏ１を軸に回転し、それ以降は当接点Ｏ２を軸に回転する結果、自ずと移動軌跡Ｕを辿りつつ固定位置に自動的に至る。
【００３５】
このように、本実施形態のものは、特段の位置合わせ作業を要することなく、操作部６１をフロントアンダーカバー８５の裏面の固定位置に正確に保持できる。尚、係る固定位置では、図５にて示すように、操作部６１の前側では、ヒンジ部（開口部６２を開閉する開閉部材の回転中心となるもの）６５がフロントアンダーカバー８５の裏面に当接し、後側ではフロントアンダーカバー８５の面ファスナ８８に操作部６１側の面ファスナ６８が下方から当接して両面ファスナ６８、８８が互いに係合することで、固定状態が保持されることとなる。
【００３６】
また、上記構成とすることで、以下の効果が得られる。本実施形態のトノボード２０は冒頭で説明したように、取り外し後、ラゲッジルーム１５の収納部に格納可能となっている。
【００３７】
一方、リアトノカバー４０の第二リアカバー部４５は図３に示すように、リアアンダーカバー８１のフック８３に固定した状態では、ボード後方に突出した状態となり、そのままでは格納できないので、格納の際には、図６にて示すように、ボート前方に折り返す必要がある。
【００３８】
このとき、操作部６１が固定位置からボード後方にずれた位置で保持されていたとすると、第二フロントカバー部５５の全体がボード後方にずれてしまい、図６に示すＢ部にて第二フロントカバー部５５の後端５５Ａがリアトノカバー４０に干渉し、リアトノカバー４０は後方に押された状態となる。
【００３９】
この場合、ユーザは、両面ファスナ６８、８８の係合を一旦解いて、位置ずれした状態にある操作部６１を固定位置に正しく保持させる位置修正作業を改めて行わないと、リヤトノカバー４０の第二リアカバー部４５をボード前側に折り返せない。
【００４０】
この点、本実施形態のものであれば、操作部６１をフロントアンダカバー裏面の固定位置に正確に保持できるので、上記のような干渉が起こり得ない。そのため、煩わしい位置修正作業を行う必要も無く、トノボード２０の格納作業を手間なく簡単に行うことが可能となる。
【００４１】
＜他の実施形態＞
本発明は上記記述及び図面によって説明した実施形態に限定されるものではなく、例えば次のような実施形態も本発明の技術的範囲に含まれる。
【００４２】
（１）上記実施例では、本発明に係るトノカバー装置の一形態として、２つの巻き取り軸３１、３５を内蔵して、２つのトノカバー４０、５０を引き出し可能としたトノボード２０を例示したが、巻き取り軸を１つのみ備え、一のトノカバーのみ引き出し可能とするものであっても無論よい。
【００４３】
（２）上記実施例では、２つの当接点Ｏ１、Ｏ２を設けて各当接点Ｏ１、Ｏ２を中心とする２つの円弧を合成した略円弧状の軌道により操作部６１を固定位置に移動させる構成としたが、１つの当接点Ｏ１のみの設定（操作部６１の移動軌跡を完全な円弧軌道とするもの）としてもよい。
【図面の簡単な説明】
【００４４】
【図１】本発明の一実施形態に係るトノボードの斜視図
【図２】トノボードを車両のラゲッジルームに設定した状態を示す図
【図３】トノボードの中央断面図（図１中のＡ−Ａ線断面図）
【図４】ストッパがエンドカバーに当接した状態を示す図
【図５】操作部の移動軌跡Ｕを示す図
【図６】リアトノカバーの第二リアカバー部をボート前側に折り返した状態を示す断面図
【符号の説明】
【００４５】
２０…トノボード（本発明の「収容体」に相当）
３１…巻き取り軸
５０…フロントトノカバー（本発明の「トノカバー」に相当）
５１…第一フロントカバー部
５５…第二フロントカバー部
６１…操作部
６８…面ファスナ（本発明の「保持手段」に相当）
７１…ストッパ
７５…キャップ部材
８５…フロントアンダーカバー（本発明の「収容体」に相当）
８８…面ファスナ（本発明の「保持手段」に相当）
９０…エンドカバー（本発明の「収容体」に相当）
９９…引き出し口（本発明の「開口」に相当）
Ｏ１…当接点
Ｏ２…当接点（本発明の「他の当接点」に相当）
【図１】
0005067618.tif 000002
【図２】
0005067618.tif 000003
【図３】
0005067618.tif 000004
【図４】
0005067618.tif 000005
【図５】
0005067618.tif 000006
【図６】
0005067618.tif 000007